【手続補正書】
【提出日】平成31年1月16日(2019.1.16)
【手続補正１】
【補正対象書類名】特許請求の範囲
【補正対象項目名】全文
【補正方法】変更
【補正の内容】
【特許請求の範囲】
【請求項１】
被記録媒体を供給するための第１供給ユニット及び第２供給ユニットと、
前記第１供給ユニットがユーザーにより操作された場合、前記第１供給ユニットに対するユーザー操作に基づいて、前記第１供給ユニットから供給される被記録媒体に関する情報を設定するための第１画面を表示部に表示させる表示制御手段と、
を備え、
前記表示制御手段は、前記第１画面が表示されている状態でユーザーにより前記第２供給ユニットが操作された場合、表示中の前記第１画面が所定のユーザー指示に基づいて消えた後に、前記第２供給ユニットから供給される被記録媒体に関する情報を設定するための第２画面を表示することを特徴とする印刷装置。
【請求項２】
被記録媒体を供給するための第１供給ユニット及び第２供給ユニットと、
前記第１供給ユニットがユーザーにより操作された場合、前記第１供給ユニットに対するユーザー操作に基づいて、前記第１供給ユニットから供給される被記録媒体に関する情報を設定するための第１画面を表示部に表示させる表示制御手段と、
を備え、
前記表示制御手段は、
前記第１画面が表示されている状態で、所定のユーザー指示が行われた場合、前記第１画面を消し、
前記第１画面が表示されている状態で、ユーザーにより前記第２供給ユニットが操作された場合、前記所定のユーザー指示が行われる前の状態では、前記第２供給ユニットから供給される被記録媒体に関する情報を設定するための第２画面を表示しないことを特徴とする印刷装置。
【請求項３】
前記表示制御手段は、前記第１画面が表示されている状態で、ユーザーにより前記第２供給ユニットが操作された場合、前記所定のユーザー指示が行われる前の状態では、前記第１画面を表示中の前記表示部の表示は、前記第２供給ユニットの操作に基づいて変化させないことを特徴とする請求項１又は２に記載の印刷装置。
【請求項４】
前記表示制御手段は、前記第１画面が表示されている状態で、ユーザーにより前記第２供給ユニットが操作された場合、表示中の前記第１画面が前記所定のユーザー指示に基づいて消えた後に、前記第２画面を表示することを特徴とする請求項２又は３に記載の印刷装置。
【請求項５】
前記表示制御手段は、前記第１画面が表示されている状態で、ユーザーにより前記第１供給ユニットが再操作された場合、前記第１画面を表示中の前記表示部の表示は前記再操作に基づいて変化させないことを特徴とする請求項１から４のいずれか１項に記載の印刷装置。
【請求項６】
前記表示制御手段は、前記第２画面が表示されている状態で、ユーザーにより前記第１供給ユニットが操作された場合、前記所定のユーザー指示が行われる前の状態であっても、前記第１供給ユニットの操作に基づいて、前記第１画面が表示されることを特徴とする請求項１から５のいずれか１項に記載の印刷装置。
【請求項７】
前記第１供給ユニットは前記第２供給ユニットよりも、優先度が高く設定されていることを特徴とする請求項６に記載の印刷装置。
【請求項８】
前記第１供給ユニットから供給されて搬送された被記録媒体に記録が行われる場合のスループットは、前記第２供給ユニットから供給されて搬送された被記録媒体に記録が行われる場合のスループットよりも高いことを特徴とする請求項６又は７に記載の印刷装置。
【請求項９】
前記第１供給ユニットから所定の搬送ローラまでの搬送経路上における距離は、前記第２供給ユニットから前記所定の搬送ローラまでの搬送経路上における距離よりも近いことを特徴とする請求項６から８のいずれか１項に記載の印刷装置。
【請求項１０】
前記表示制御手段は、前記第１画面が表示されていない状態で、ユーザーにより前記第２供給ユニットが操作された場合、前記第２供給ユニットの操作に基づいて前記第２画面を表示することを特徴とする請求項１から９のいずれか１項に記載の印刷装置。
【請求項１１】
前記第１供給ユニットに対するユーザー操作に基づいて前記第１画面が表示されている状態では、前記第２供給ユニットから供給される被記録媒体に関する情報は表示されていないことを特徴とする請求項１から１０のいずれか１項に記載の印刷装置。
【請求項１２】
前記第１供給ユニットが前記印刷装置の所定部に挿入されたことを検知する第１検知手段と、
前記第２供給ユニットが前記印刷装置の所定部に挿入されたことを検知する第２検知手段と、
をさらに備え、
前記第１供給ユニットが挿入されたことを前記第１検知手段が検知した場合、前記表示制御手段は、前記第１検知手段による検知に応じて、前記第１画面を前記表示部に表示させ、
前記第１画面が表示されている状態で、前記第２供給ユニットが挿入されたことを前記第２検知手段が検知したとしても、前記表示制御手段は、前記所定のユーザー指示が行われる前の状態では、前記第２画面を表示しないことを特徴とする請求項１から１１のいずれか１項に記載の印刷装置。
【請求項１３】
前記第１供給ユニットが前記印刷装置の所定部から抜かれたことを検知する第１検知手段と、
前記第２供給ユニットが前記印刷装置の所定部から抜かれたことを検知する第２検知手段と、
をさらに備え、
前記第１供給ユニットが抜かれたことを前記第１検知手段が検知した場合、前記表示制御手段は、前記第１検知手段による検知に応じて、前記第１画面を前記表示部に表示させ、
前記第１画面が表示されている状態で、前記第２供給ユニットが抜かれたことを前記第２検知手段が検知したとしても、前記表示制御手段は、前記所定のユーザー指示が行われる前の状態では、前記第２画面を表示しないことを特徴とする請求項１から１１のいずれか１項に記載の印刷装置。
【請求項１４】
前記第１画面は、前記第１供給ユニットから供給される被記録媒体のサイズと種類に関する情報を登録可能な画面であり、
前記第２画面は、前記第２供給ユニットから供給される被記録媒体のサイズと種類に関する情報を登録可能な画面であることを特徴とする請求項１から１３のいずれか１項に記載の印刷装置。
【請求項１５】
被記録媒体を供給するための第１供給ユニット及び第２供給ユニットと、
前記第１供給ユニットがユーザーにより操作された場合、前記第１供給ユニットに対するユーザー操作に基づいて、前記第１供給ユニットから供給される被記録媒体に関する情報を設定するための第１画面を表示部に表示させる表示制御手段と、
を備え、
前記表示制御手段は、前記第１画面が表示されている状態で、ユーザーにより前記第１供給ユニットが再操作された場合、前記再操作に基づいて前記表示部に前記第１画面を新たに表示しないことを特徴とする印刷装置。
【請求項１６】
被記録媒体を供給するための第１供給ユニット及び第２供給ユニットと、
前記第１供給ユニットがユーザーにより操作された場合、前記第１供給ユニットに対するユーザー操作に基づいて、前記第１供給ユニットから供給される被記録媒体に関する情報を設定するための第１画面を表示部に表示させる表示制御手段と、
を備え、
前記表示制御手段は、前記第１画面が表示されている状態で、ユーザーにより前記第１供給ユニットが再操作された場合、前記第１画面を表示中の前記表示部の表示を前記再操作に基づいて変化させないことを特徴とする印刷装置。
【請求項１７】
前記表示制御手段は、
前記第１画面が表示されている状態で、所定のユーザー指示が行われた場合、前記第１画面を消し、
前記第１画面が表示されている状態で、ユーザーにより前記第１供給ユニットが再操作された場合、前記所定のユーザー指示が行われた後であっても、前記再操作に基づく前記第１画面は新たに表示しないことを特徴とする請求項１５又は１６に記載の印刷装置。
【請求項１８】
前記第１供給ユニットに対するユーザー操作に基づいて前記第１画面が表示されている状態では、前記第２供給ユニットから供給される被記録媒体に関する情報は表示されていないことを特徴とする請求項１５から１７のいずれか１項に記載の印刷装置。
【請求項１９】
前記第１供給ユニットが前記印刷装置の所定部に挿入されたことを検知する第１検知手段をさらに備え、
前記第１供給ユニットが挿入されたことを前記第１検知手段が検知した場合、前記表示制御手段は、前記第１検知手段による検知に応じて、前記第１画面を前記表示部に表示させ、
前記第１画面が表示されている状態で、前記第１供給ユニットが挿入されたことを前記第１検知手段が再度検知したとしても、前記表示制御手段は、前記表示部に前記第１画面を新たに表示しないことを特徴とする請求項１５から１８のいずれか１項に記載の印刷装置。
【請求項２０】
前記第１供給ユニットが前記印刷装置の所定部から抜かれたことを検知する第１検知手段をさらに備え、
前記第１供給ユニットが抜かれたことを前記第１検知手段が検知した場合、前記表示制御手段は、前記第１検知手段による検知に応じて、前記第１画面を前記表示部に表示させ、
前記第１画面が表示されている状態で、前記第１供給ユニットが抜かれたことを前記第１検知手段が再度検知したとしても、前記表示制御手段は、前記表示部に前記第１画面を新たに表示しないことを特徴とする請求項１５から１８のいずれか１項に記載の印刷装置。
【請求項２１】
前記第１画面は、前記第１供給ユニットから供給される被記録媒体のサイズと種類に関する情報を登録可能な画面であることを特徴とする請求項１５から２０のいずれか１項に記載の印刷装置。
【請求項２２】
前記第１供給ユニットは、被記録媒体を供給する第１カセットであり、前記第２供給ユニットは、被記録媒体を供給する第２カセットであることを特徴とする請求項１から２１のいずれか１項に記載の印刷装置。
【請求項２３】
被記録媒体を供給するための供給ユニットと、
前記供給ユニットがユーザーにより操作された場合、前記供給ユニットに対するユーザー操作に基づいて、前記供給ユニットから供給される被記録媒体に関する情報を設定するための所定の画面を表示部に表示させる表示制御手段と、
を備え、
前記表示制御手段は、前記所定の画面が表示されている状態で、ユーザーにより前記供給ユニットが再操作された場合、前記再操作に基づいて前記表示部に前記所定の画面を新たに表示しないことを特徴とする印刷装置。
【請求項２４】
被記録媒体を供給するための供給ユニットと、
前記供給ユニットがユーザーにより操作された場合、前記供給ユニットに対するユーザー操作に基づいて、前記供給ユニットから供給される被記録媒体に関する情報を設定するための所定の画面を表示部に表示させる表示制御手段と、
を備え、
前記表示制御手段は、前記所定の画面が表示されている状態で、ユーザーにより前記供給ユニットが再操作された場合、前記所定の画面を表示中の前記表示部の表示を前記再操作に基づいて変化させないことを特徴とする印刷装置。
【請求項２５】
前記表示制御手段は、
前記所定の画面が表示されている状態で、所定のユーザー指示が行われた場合、前記所定の画面を消し、
前記表示制御手段は、前記所定の画面が表示されている状態で、ユーザーにより前記供給ユニットが再操作された場合、前記所定のユーザー指示が行われた後であっても、前記再操作に基づく前記所定の画面は新たに表示しないことを特徴とする請求項２３又は２４に記載の印刷装置。
【請求項２６】
前記供給ユニットが前記印刷装置の所定部に挿入されたことを検知する検知手段をさらに備え、
前記供給ユニットが挿入されたことを前記検知手段が検知した場合、前記表示制御手段は、前記検知手段による検知に応じて、前記所定の画面を前記表示部に表示させ、
前記所定の画面が表示されている状態で、前記供給ユニットが挿入されたことを前記検知手段が再度検知したとしても、前記表示制御手段は、前記表示部に前記所定の画面を新たに表示しないことを特徴とする請求項２３から２５のいずれか１項に記載の印刷装置。
【請求項２７】
前記供給ユニットが前記印刷装置の所定部から抜かれたことを検知する検知手段をさらに備え、
前記供給ユニットが抜かれたことを前記検知手段が検知した場合、前記表示制御手段は、前記検知手段による検知に応じて、前記所定の画面を前記表示部に表示させ、
前記所定の画面が表示されている状態で、前記供給ユニットが抜かれたことを前記検知手段が再度検知したとしても、前記表示制御手段は、前記表示部に前記所定の画面を新たに表示しないことを特徴とする請求項２３から２５のいずれか１項に記載の印刷装置。
【請求項２８】
前記所定の画面は、前記供給ユニットから供給される被記録媒体のサイズと種類に関する情報を登録可能な画面であることを特徴とする請求項２３から２７のいずれか１項に記載の印刷装置。
【請求項２９】
前記供給ユニットは、被記録媒体を供給するカセットであることを特徴とする請求項２３から２８のいずれか１項に記載の印刷装置。
【請求項３０】
前記所定のユーザー指示は、前記表示部に表示された所定アイテムに対するユーザー指示であることを特徴とする請求項１から２９のいずれか１項に記載の印刷装置。
【請求項３１】
前記所定のユーザー指示に基づき、前記被記録媒体に関する情報が登録されることを特徴とする請求項１から３０のいずれか１項に記載の印刷装置。
【請求項３２】
前記被記録媒体は用紙であり、前記用紙に印刷を行う印刷手段をさらに備えることを特徴とする請求項１から３１のいずれか１項に記載の印刷装置。
【請求項３３】
前記印刷手段は、インクジェット方式により前記用紙に印刷を行うことを特徴とする請求項３２に記載の印刷装置。
【手続補正２】
【補正対象書類名】明細書
【補正対象項目名】０００７
【補正方法】変更
【補正の内容】
【０００７】
上記目的を達成するため、本発明に係る印刷装置は、被記録媒体を供給するための第１供給ユニット及び第２供給ユニットと、前記第１供給ユニットがユーザーにより操作された場合、前記第１供給ユニットに対するユーザー操作に基づいて、前記第１供給ユニットから供給される被記録媒体に関する情報を設定するための第１画面を表示部に表示させる表示制御手段と、を備え、前記表示制御手段は、前記第１画面が表示されている状態でユーザーにより前記第２供給ユニットが操作された場合、表示中の前記第１画面が所定のユーザー指示に基づいて消えた後に、前記第２供給ユニットから供給される被記録媒体に関する情報を設定するための第２画面を表示する。